(57)【要約】【課題】大規模印刷ジョブをそれほど長く停止させずに、少量の校正刷りのジョブを大規模ジョブに割り込ませることを可能とする。【解決手段】中間ジョブ終了方法であって、割込みジョブの依頼時に、主要ジョブの予想終了地点を計算するステップと、前記割込みジョブの完了後に、前記主要ジョブの印刷を前記予想終了地点＋１で開始するように再依頼するステップと、前記主要ジョブの印刷を前記予想終了地点まで行うステップと、前記割込みジョブの印刷を行うステップと、前記割込みジョブの最後の用紙の後に前記主要ジョブの印刷を前記予想終了地点＋１で再開して、前記割り込みジョブの前記最後の用紙と前記主要ジョブの予想終了地点＋１の用紙との間に小休止がないようにするステップと、を含む方法。【選択図】図３
2008268948.tif 000002
【特許請求の範囲】
【請求項１】
中間ジョブ終了方法であって、
割込みジョブの依頼時に、主要ジョブの予想終了地点を計算するステップと、
前記割込みジョブの完了後に、前記主要ジョブの印刷を前記予想終了地点＋１で開始するように再依頼するステップと、
前記主要ジョブの印刷を前記予想終了地点まで行うステップと、
前記割込みジョブの印刷を行うステップと、
前記割込みジョブの最後の用紙の後に前記主要ジョブの印刷を前記予想終了地点＋１で再開して、前記割り込みジョブの前記最後の用紙と前記主要ジョブの予想終了地点＋１の用紙との間に小休止がないようにするステップと、
を含むことを特徴とする方法。
【請求項２】
中間ジョブ終了方法を実行するための命令を記憶するコンピュータ読取可能媒体であって、
前記方法は、
割込みジョブの依頼時に、主要ジョブの予想終了地点を計算するステップと、
前記割込みジョブの完了後に、前記主要ジョブの印刷を前記予想終了地点＋１で開始するように再依頼するステップと、
前記主要ジョブの印刷を前記予想終了地点まで行うステップと、
前記割込みジョブの印刷を行うステップと、
前記割込みジョブの最後の用紙の後に前記主要ジョブの印刷を前記予想終了地点＋１で再開して、前記割り込みジョブの前記最後の用紙と前記主要ジョブの予想終了地点＋１の用紙との間に小休止がないようにするステップと、
を含むことを特徴とするコンピュータ読取可能媒体。
【請求項３】
電子写真機であって、
複数の用紙を用紙輸送経路に供給するための少なくとも１つのフィーダと、
前記用紙輸送経路上の前記用紙に少なくとも１つの画像をマーキングするためのマーカと、
前記用紙輸送経路上のマーク済み用紙を積み重ねるための少なくとも１つのスタッカと、
割り込みジョブの依頼時に、主要ジョブの予想終了地点を計算し、前記予想終了地点を中間継続データとしてデジタルフロントエンドに送信し、実際の終了地点を最終継続データとして前記デジタルフロントエンドに送信するための印刷ステーションと、
を備え、
前記デジタルフロントエンドは、前記主要ジョブが前記予想終了地点に到達する前に、前記主要ジョブの前記予想終了地点を受け取ることを特徴とする電子写真機。
【発明の詳細な説明】
【技術分野】
【０００１】
本発明は一般に電子写真マーキング装置に関し、特に割り込みジョブのための制御と媒体及び電子写真機に関する。
【背景技術】
【０００２】
デジタルプロダクションプレス（デジタル印刷機: digital production press）により大規模ジョブの途中で小規模印刷ジョブを割り込みジョブとして実行すると、生産性が低下する。これは、現在実行中の印刷ジョブを終了しなければ、そのジョブを機械が停止した地点から再依頼(resubmit)することができないからである。たとえば、デジタルプロダクションプレスが１冊２００ページの本１００冊、合計２０，０００ページを印刷するという印刷ジョブを実行している場合を考える。このような印刷ジョブは終了までに長時間かかる。大規模印刷ジョブの実行中に、将来の印刷ジョブに関する小量の校正刷りジョブを実行することが望ましい場合がよくある。校正刷りジョブの印刷が終わると、後に大量に印刷されることになる将来のジョブについて編集を続けることができる。
【０００３】
【特許文献１】米国特許第５，２０６，７３５号明細書
【特許文献２】米国特許第５，９３３，６７９号明細書
【特許文献３】米国特許第５，８３９，０４５号明細書
【発明の開示】
【発明が解決しようとする課題】
【０００４】
大量郵便を印刷する場合、１つの大規模ジョブは印刷であるが、この大規模ジョブをそれほど長く停止させずに、少量の校正刷りのジョブを大規模ジョブに割り込ませることが望まれる。本や大量郵便のような印刷ジョブについては、少しの遅れでも利益の逸失やビジネスチャンスの喪失につながることがある。スピードが問われるビジネスの世界では、時として中程度または少量のジョブにも割り込みジョブを割り込ませる必要があり、割り込みジョブの処理を待つ間に少しでも遅れがあればもどかしく感じられかねない。
【課題を解決するための手段】
【０００５】
本発明に係る電子写真機には、割り込みジョブ実行後の電子写真機（デジタルプロダクションプレス等）の生産性を高める方法のさまざまな態様が含まれる。現在、機械がすでに実行中のジョブの最中に少量のジョブの割り込みを受け取ると、この機械は現在のジョブを終了して、ピッチを一切スキップせずに割り込みジョブを挿入する。しかしながら、現在のジョブの予定枚数の印刷が完了しなければ、現在のジョブに関する終了情報は継続データとともにデジタルフロントエンドに送り返されない。デジタルフロントエンドが継続データを受け取ると、当初のジョブはそれが停止された地点から再依頼、再開される。ひとつの問題は、その時点で用紙輸送経路が空であるため、生産性が損なわれる点である。解決策には、予定された最後の用紙が機械から排出されるのを持つのではなく、機械が当初のジョブを終了したときに継続データとともに予想終了地点をデジタルフロントエンドに送信することが関わる。このようにすると、デジタルフロンドエンドはより早く当初のジョブの継続を再依頼できるため、ピッチのスキップがなくなる。最終的な終了情報が決定され、継続データと比較される。その間に差があれば、機械はサイクルダウン(cycle down)して再計算を行い、ジョブの完全性が確保されるようにする。
【０００６】
また、本発明の１つの態様は、中間ジョブ終了方法である。割り込みジョブの依頼(submission)時に、主要ジョブの予想終了地点Ｙが計算される。主要ジョブは、割り込みジョブが完了した後にＹ＋１から印刷を開始するよう再依頼される。主要ジョブはＹまで印刷され、割り込みジョブ全体が印刷される。主要ジョブの印刷は、割り込みジョブの最後の用紙の次に小休止が設けられることなくＹ＋１で再開される。割り込みジョブの最後の用紙と主要ジョブを再開する次の用紙との間にスキップされるピッチはない。印刷ステーションは主要ジョブの予想終了地点Ｙを計算し、Ｙを中間継続データとしてＹをデジタルフロントエンドに送ることができる。印刷ステーションはまた、実際の終了地点を最終継続データとしてデジタルフロントエンドに送信することもできる。デジタルフロントエンドは、主要ジョブが予想終了地点に到達する前に、主要ジョブの予想終了地点を受け取る。印刷ステーションは、実際の終了地点を予想終了地点と比較し、その間に違いがあればフォールトが発生されるようにする。別の態様は、この中間ジョブ終了方法を実行するための命令を記憶するコンピュータ読取可能媒体である。
【０００７】
さらに別の態様は、フィーダ、マーカ、スタッカ、印刷ステーションを備える電子写真機である。少なくとも１つのフィーダが用紙を用紙輸送経路へと供給し、マーカは用紙輸送経路上の用紙に画像をマークし、スタッカが用紙輸送経路上のマーク済み用紙を積み重ねる。印刷ステーションは、割り込みジョブ依頼時に、主要ジョブの予想終了地点Ｙを計算する。印刷ステーションはＹを中間継続データとしてデジタルフロントエンドに送信し、実際の終了地点を最終継続データとしてデジタルフロントエンドに送信する。デジタルフロントエンドは、主要ジョブが予想終了地点に到達する前に主要ジョブの予想終了地点を受け取る。割り込みジョブの最後の用紙に続き、主要ジョブの印刷はＹ＋１から再開し、このとき割り込みジョブの最後の用紙と主要ジョブのＹ＋１の用紙との間に小休止は設けられない。印刷ステーションは、実際の終了地点を予想了地点と比較し、これらが異なっていればフォールトメッセージを発生する。
【０００８】
主要ジョブＡは印刷であるが、ユーザはコピー１枚または用紙１枚である校正刷りジョブＢを望み、校正刷りジョブＢをジョブ割り込みとして依頼する。本態様では、割り込みジョブが依頼されたときに、主要ジョブのジョブ完了予想地点に基づいて中間終了情報を生成する。１つの態様は、割り込みジョブの直後に主要ジョブを再依頼し、ピッチのスキップなしで印刷が継続されるようにすることによって、生産性を向上させる中間ジョブ終了応答の方法である。この態様がなければ、上記の状況が発生したときに、ジョブＡは終了するが、機械はすでに予定されていた用紙の印刷を継続する。校正刷りジョブＢは、ジョブＡの予定された最後の用紙の後に印刷される。ジョブＡの予定された用紙が最終的に完了すると、終了情報が継続データとともにデジタルフロントエンドに送り返される。デジタルフロントエンドが継続データを受け取ると、ジョブＡが再依頼され、印刷が開始される。残念ながら、その時点で用紙輸送経路の大部分は空であり、その結果、生産性が低下する。この態様は、その生産性の低下を軽減させ、または排除する。ジョブＡが終了すると、予想了地点を使って、継続データを含む応答をデジタルフロントエンドに送信する。デジタルフロントエンドはこれを使用して、校正刷りジョブＢの依頼後に継続地点と併せてジョブＡを再依頼することにより、ジョブ割り込みプロセスを継続する。これによって、ピッチを一切スキップせずに校正刷りジョブＢを印刷できる。
【発明の効果】
【０００９】
本発明に係る中間ジョブ終了方法を用いることにより、用紙が印刷されると最終的な終了情報が計算され、中間継続データと比較される。中間継続データが違っていると、印刷システムはサイクルダウンし、継続すべき地点を再計算し、ジョブの完全性が確保されるという効果がある。
【発明を実施するための最良の形態】
【００１０】
図１は、中間ジョブ終了応答方法の一実施例を実行するための印刷システムの実施例を示すブロック図である。実施例はプリンタ、コピー機、スキャナ等の各種電子写真システムで実行でき、図１にはその中のひとつであるデジタルプロダクションプレス１００が示されている。このデジタルプロダクションプレス１００は、１時間にレターサイズの用紙５，０００枚以上の通しページをマーキングでき、さまざまなストックへのカラー画像、グラフィクス、テキストのための校正刷りリモートジョブ依頼からオンデマンド印刷に至るワークフローを実行できる。
【００１１】
デジタルプロダクションプレス１００は、給紙機構（フィーダ）１０２と、マーキングエンジン（マーカ）１０４と、出力モジュール１０５と、スタッカ１０６とを備える。給紙機構１０２は２個のフィーダモジュール１１０を備え、各モジュールは輸送機構１１２と２個の用紙トレイ１１４を有する。マーキングエンジン１０４は、光学ガイド１１６を設けた直線的な用紙輸送経路と、複数の固体インク（トナー）コンテナ１１８と、感光体１２０と、１地点用紙転写部(single-point image transfer to paper)１２２と、定着器１２４と、反転経路(duplex path)１２６を備える。スタッカ１０６は２個のスタッカ１３０と、最終校正刷りとランタイムサンプルのための２個の上側トレイ１３２と、用紙輸送経路１３４と、各種の袋字仕上げ（たとえば、ブックレットメーカ、スクエアエッジ(square edge)、製本、綴じ、ラミネート、ＵＶコーティング等）のための任意選択による文書仕上げアーキテクチャ（ＤＦＡ）インタフェース１３６を有する。
【００１２】
この例において、印刷システム１００内のかなり長い用紙輸送経路が給紙機構１０２からマーキングエンジン１０４、出力モジュール１０５を通ってスタッカ１０６へと続く。ストックが給紙機構１０２から用紙輸送経路１１６に運ばれ、用紙輸送経路の定着器１２４の付近１２２において、感光体１２０の下の用紙に画像が転写される。用紙輸送経路のこの地点において、用紙は引き続きまっすぐ進むか、あるいは反転経路１２６へと折り返す。定着器１２４の後に処理後インタポーザ１２８があり、これはインバータとも呼ばれ、任意で用紙輸送経路上の用紙の向きを変更するのに用いられる。用紙輸送経路のさらに下流で、用紙は上側トレイ１３２に向かって上方向に、あるいはスタッカ１３０の一方に向かって下方向に移動するか、あるいは用紙輸送経路１３４の上でもう一方のスタッカ１３０、上側トレイ１３２または任意選択のフィニッシャ１３６へと進む。
【００１３】
印刷システム１００はまた、図１には示されていないコンポーネントを備えていてもよい。印刷システム１００はまた、マーキングエンジン１０４の中の印刷エンジンに連結されたプロセッサ（パーソナルコンピュータ等）である印刷ステーションインタフェースプラットフォーム（ＰＳＩＰ）を備えていてもよい。印刷ステーションインタフェースプラットフォームは、印刷エンジンにより発生されるフォールトメッセージを表示し、紙詰まり解消のためのビデオ等、印刷エンジンの修理点検のための診断ルーチンを含んでいてもよい。印刷ステーションインタフェースプラットフォームは、印刷工程全体を総括的に制御するマークファシリティコントローラ（ＭＦＣ）を備える。マークファシリティコントローラは、給紙機構１０２が用紙をどのトレイに供給する必要があるかを判断し、マーキングエンジン１０４に対して用紙上にどの画像を形成すべきかを知らせ、裏側に第二の画像を形成するために用紙が反転経路へと進むか否かを判断し、用紙が上側トレイ１３２もしくはスタッカ１３０に、あるいはフィニッシャ１３６に行くかを判断する。さらに、マークファシリティコントローラは、印刷エンジンに連結された別のプロセッサ（パーソナルコンピュータ等）であるデジタルフロントエンド（ＤＦＥ）から情報を受け取る。
【００１４】
印刷エンジンは、全画像出力端末（ＩＯＴ）または図１に示される印刷システム１００を備える。印刷エンジンと印刷ステーションインタフェースプラットフォーム（ＰＳＩＰ）とが印刷ステーションを構成する。印刷ステーションはまた、マークファシリティコントローラ（ＭＦＣ）と文書仕上げアーキテクチャ（ＤＦＡ）１３６を備えていてもよい。印刷ステーションとデジタルフロントエンド（ＤＦＥ）がシステムを構成する。
【００１５】
図１の印刷システム１００が大規模ジョブの用紙１００を印刷しており、このとき、校正刷り、つまり割り込みジョブが印刷を開始すると想定する。用紙１００が印刷システム内を進むと、用紙１００はフィーダ１０２からマーカ１０４に移動し、用紙上に画像が形成され、定着器１２４に移動して画像が用紙上に定着され、次に用紙１００はマーキングエンジン１０４から出てスタッカ１３０の最終目的地に到達する。用紙１００がスタッカ１３０に入って停止すると、スタッカ１３０は完了メッセージをマークファシリティコントローラに送信する。同様に、フィーダ１０２とマーカ１０４は状況をマークファシリティコントローラに報告していてもよい。すると、マークファシリティコントローラは、用紙１００の印刷が終了したことを知る。この時点で、校正刷りジョブの最初の用紙の印刷が開始される。まず、デジタルフロントエンドは、大規模ジョブの中断が成功し、印刷された最後の用紙が用紙１００であることを示すメッセージをマークファシリティコントローラに送信する。デジタルフロントエンドは、後に次の用紙である用紙１０１から再開するために、この継続情報を記憶装置に記憶する。
【００１６】
印刷システム１００のように、用紙輸送経路がかなり長い印刷システムの場合、たとえば１枚または２枚を印刷する等の小規模ジョブが行われると、用紙輸送経路の残りの部分が空となり、その結果、印刷の小休止または遅れが生じる。印刷システム１００はアップ、つまりサイクルアップしており（つまり、すべてのモータが旋回している）、画像を印刷できる状態にあるが、デジタルフロントエンドとマークファシリティコントローラが、どの用紙を次に印刷するかを判断するまで、用紙を供給してこれに印刷することはできない。
【００１７】
図２は、生産性が低下する、関連技術による割り込みジョブ取り扱い方法２００を示す。２０２において大規模ジョブ（主要ジョブまたは１番ジョブ）の印刷が実行され、その後、２０４において、ユーザは大規模ジョブが偶然に用紙Ｘまで印刷し終わった時に校正ジョブ（割り込みジョブまたは２番ジョブ）を依頼する。２０６において、大規模ジョブは用紙Ｘ＋１からＹの印刷を続け、校正ジョブは用紙Ｙの後に印刷を開始して印刷工程が中断されないようにする。印刷システムは、使用可能な各ピッチで各用紙を印刷するというリズムパターンに従う。次に、２０８において、大規模ジョブは校正ジョブが始まる前の最後の用紙、つまり用紙Ｙの印刷を終了し、用紙Ｙはスタッカ、上側トレイまたはフィニッシャの中に停止する。この時点で、２１０において、印刷ステーション（あるいはマークファシリティコントローラ）は用紙Ｙが大規模ジョブで印刷された最後の用紙であると判断し、この情報を継続データとしてデジタルフロントエンドに送信する。２１０において続いて、デジタルフロントエンドは継続データを使って大規模ジョブを再依頼し、印刷システムが、それが停止した場所から、つまりシートＹ＋１から大規模ジョブの印刷を再開することができるようにする。２１２において校正ジョブが終了する。この時点で、２１４において、印刷システムには用紙印刷における小休止または遅れが生じている。遅れの長さは、大規模ジョブに関するフィーダからスタッカまでの用紙輸送経路の長さから、校正ジョブにおける用紙の枚数を差し引いたものによって決まる。この計算結果が負であれば小休止はない。次に、２１６において、大規模ジョブが用紙Ｙ＋１の印刷を再開する。
【００１８】
図３は、図２に示すものより生産性が改善される、中間ジョブ終了応答の方法の一実施例を示す。３０２において大規模ジョブの印刷が行われており、３０４において、大規模ジョブが用紙Ｘまでを印刷し終わった時点で校正ジョブが依頼されるという状況は同じであるが、中間ジョブ終了応答の方法が異なる。３０６において、印刷ステーションは大規模ジョブで印刷される最後の用紙であるべき用紙Ｙ（つまり、予想終了地点）を計算し、この情報を中間継続データとしてデジタルフロントエンドに送信する。次に、３０６において、デジタルフロントエンドは、中間継続データを使って大規模ジョブを再依頼し、印刷システムがその停止地点、つまり用紙Ｙ＋１から大規模ジョブの印刷を継続することができるようにする。図２と同様に、３０８において、大規模ジョブが用紙Ｘ＋１からＹまで印刷を続け、校正ジョブが用紙Ｙの後に印刷を開始し、印刷工程が中断されないようにし、３１０において、大規模ジョブが印刷を終了し、スタッカ、上側トレイまたはフィニッシャの中に物理的に停止する。３１２において、印刷ステーション（またはマークファシリティコントローラ）は、用紙Ｙが大規模ジョブで印刷される最後の用紙であったことを判断し、この情報を最終継続データとしてデジタルフロントエンドに送信する。次に、３１２において、印刷ステーション（および／またはデジタルフロントエンド）は中間および最終継続データを比較する。これらが異なっていれば、３１４において、印刷システムはフォールトメッセージを発生する等、ジョブの完全性を確保するための措置（調整(reconciliation)）を実行する。３１６において、校正ジョブは終了する。大規模ジョブは用紙Ｙ＋１で印刷を再開し、校正ジョブの最後の用紙と大規模ジョブの用紙Ｙ＋１との間に小休止が生じない。
【００１９】
図２において、マークファシリティコントローラがデジタルフロントエンドにメッセージを送信するのは、完了したジョブの最後の用紙がスタッカ１３０に到達してからであり、この時点で用紙輸送経路が満杯であることを確認するための情報をデジタルフロントエンドが得たのでは遅すぎる。図３では、校正ジョブが要求された時点で、マークファシリティコントローラはデジタルフロントエンドに対し、現在印刷中の大規模ジョブの最後の用紙（用紙１００等）の終了の予想を通知し、これは中間終了と呼ばれる。最後の用紙は確認されたものではないが、大規模ジョブが校正ジョブの印刷を可能にするために停止する暫定的な地点である。この中間終了は、デジタルフロントエンドがジョブの送信を計画するのに役立つ。つまり、印刷システム１００が用紙１００で大規模ジョブを停止した場合は、用紙１０１から再開する。中間終了データは、デジタルフロントエンドによって記憶される。
【００２０】
図２において、継続データは、用紙が物理的に用紙輸送経路の移動を終了した時点で送信される。用紙輸送経路が長いため、用紙が印刷システム１００の中で移動を物理的に停止するまで情報が得られないと、用紙輸送経路を別の用紙がすでに移動しているようにするために、割込みされたジョブの最後の用紙が移動を停止する時点より前に新しい用紙をスタートさせる必要がある。これが、一部の印刷システムでジョブ割り込みのための印刷のギャップまたは遅れが生じ、その結果、生産性が低下する利用である。
【００２１】
適時に必要な情報を把握することは、図３における円滑なジョブ割り込みの取り扱いにとって重要である。デジタルフロントエンドは、小量の校正ジョブが終了する前に大規模の、割込みされたジョブを再依頼して、割り込みされたジョブが校正ジョブの完了直後に再開できるようにする方法を計画する必要がある。図２の場合、デジタルフロントエンドが大規模の、割込みされたジョブが印刷を停止する場所に関する情報を持たないため、これは物理的に起こりえない。この情報は、デジタルフロントエンドが大規模の、割込みされたジョブの最後の用紙が完了したのを知るのが、その最後の用紙が物理的にシステム内で停止してからであるため、欠如している。この点で、デジタルフロントエンドがマークファシリティコントローラに印刷継続のためのジョブデータを送信しても遅すぎる。したがって、用紙輸送経路に空のスロットがある間、生産性が失われる。
【００２２】
図３において生産性低下の問題を解決するために、大規模の、割込みされたジョブの最後の用紙を予想し、この予想をデジタルフロントエンドに知らせ、デジタルフロントエンドがこの予想を使用して、大規模の、割込みされたジョブを再依頼して、システムが用紙輸送経路の満杯状態を保つのに間に合うようにマークファシリティコントローラに戻ることができるようにする。
【００２３】
印刷エンジンの内部では、各種のメッセージが送信され、用紙が用紙輸送経路をどのように移動するかが制御される。マークファシリティコントローラは情報を受信して、それが大規模の、割込みされたジョブがどこで停止したかをコンパイルし、その情報をデジタルフロントエンドに送信できるようにしなければならない。デジタルフロントエンドは、それが停止した地点から大規模の、割込みされたジョブを再依頼できるようにするための情報を受け取る必要がある。
【００２４】
用紙１００の例において、用紙１００は、割り込みジョブが開始される前に印刷される最後の用紙と予定される。大規模ジョブの用紙９６の印刷中に、紙詰まりが発生したと仮定する。ある実施例は、この発生を検出し、予定されたジョブ割り込みのタイミングを変更する方法を含む。従来のシステムでは、マークファシリティコントローラがデジタルフロントエンドに対し、マークファシリティコントローラが実際に最後の用紙が印刷されたことを知るまでどこで停止したかを知らせないため、マークファシリティコントローラはデジタルフロントエンドと折り合いをつけて、用紙９６−１００の印刷を継続するか、あるいは用紙９５の後に大規模ジョブを中断し、機械が紙詰まりを解消した後に再びサイクルアップするようにする。
【００２５】
ある実施例において、予定された最後の用紙の前に大規模ジョブを停止させる何かが発生したときの選択肢もある。中間情報と継続データに加えて、最終的な継続データメッセージを送信してもよい。最終継続データは、ジョブの完全性を保持するために送信され、どの用紙も反復またはスキップされないようにする。
【００２６】
図１の一例の印刷システム１００における感光体１２０は１１個のピッチモード、あるいは１回に印刷パスに８  １／２×１１インチの用紙１１枚が入るのに十分な空間を有する。各ピッチは１ページを印刷するのに利用できる機会または空間である。ピッチは、たとえば、特定の時点で印刷するデータがない場合、あるいは印刷エンジンが何らかの電子写真に関する調整を行っているとスキップされることがある。この例において、図１の印刷システム１００は、１分間に１ページ印刷する機会が１１０回ある。たとえば、１分間に１１０ページではなく１０９ページしか印刷できないと、１ページがスキップされる。印刷中にピッチがスキップされた場合、印刷のリズムの中の沈黙または長い小休止として聞こえる（たとえば、カチン、カチン、カチン、カチン、（沈黙）、カチン、カチン、カチン、カチン）。実施例の一つの利点は、ピッチのスキップが減ることである。
【図面の簡単な説明】
【００２７】
【図１】中間ジョブ終了応答方法の一実施例を実行するための印刷システムの実施例のブロック図である。
【図２】生産性が低下する、関連技術による割り込みジョブ処理方法のフローチャートである。
【図３】生産性が改善される、中間ジョブ終了応答方法の実施例のフローチャートである。
【符号の説明】
【００２８】
１００  デジタルプロダクションプレス、１０２  フィーダ、１０４  マーカ、１０５  出力モジュール、１０６，１３０  スタッカ、１１０  フィーダモジュール、１１２  輸送機構、１１４  用紙トレイ、１１６  光学ガイド、１１８  インクコンテナ、１２０  感光体、１２２  画像転写部、１２４  定着器、１２７  反転経路、１２８  処理後インタポーザ、１３２  上側トレイ、１３４  用紙輸送経路、１３６  フィニッシャ。
【図１】
2008268948.tif 000003
【図２】
2008268948.tif 000004
【図３】
2008268948.tif 000005